(57)【要約】【課題】  撮像素子を冷却するための冷却手段を読取モードに応じて動作の制御を行い、温度上昇により発生するノイズの影響を抑え、または、騒音や消費電力の増加を抑えることにある。【解決手段】  撮像素子ＣＣＤを備え、作成する画像データの種類を示す複数の読取モードの設定が可能で、原稿に形成された画像を撮像素子ＣＣＤで読取り、設定される読取モードに従って画像データを作成する画像読取装置において、撮像素子を冷却するための冷却手段２０３と、設定される読取モードに応じて、冷却手段２０３を動作させる制御、または、冷却手段２０３を動作させない制御を行う制御手段１００とを備えることを特徴とする。【選択図】      図３
2005333342.tif 000002
【特許請求の範囲】
【請求項１】
撮像素子を備え、作成する画像データの種類を示す複数の読取モードの設定が可能で、原稿に形成された画像を前記撮像素子で読取り、設定される前記読取モードに従って画像データを作成する画像読取装置において、
前記撮像素子を冷却するための冷却手段と、
前記設定される読取モードに応じて、前記冷却手段を動作させる制御、または、前記冷却手段を動作させない制御を行う制御手段とを備えることを特徴とする画像読取装置。
【請求項２】
前記冷却手段を動作させる制御は、前記読取モードが作成する画像データについて少なくともカラー画像及び多値データを示す場合に行う請求項１に記載の画像読取装置。
【請求項３】
撮像素子を備え、作成する画像データの種類を示す複数の読取モードの設定が可能で、原稿に形成された画像を前記撮像素子で読取り、設定される前記読取モードに従って画像データを作成する画像読取装置において、
前記撮像素子を冷却するための冷却手段と、
前記撮像素子の温度を検知する第１の温度検知手段と、
前記設定される前記読取モードに応じて、前記冷却手段を前記第１の温度検知手段が検知する温度に基づいて動作させる制御、または、前記冷却手段を動作させない制御を行う制御手段とを備えることを特徴とする画像読取装置。
【請求項４】
前記検知する温度に基づいて動作させる制御は、前記読取モードが作成する画像データについて少なくともカラー画像及び多値データを示す場合に行う請求項３に記載の画像読取装置。
【請求項５】
前記検知する温度に基づいて動作させる制御は、前記第１の温度検知手段が検知する温度が第１の所定の温度を超えないように前記冷却手段を動作させる請求項３または請求項４に記載の画像読取装置。
【請求項６】
前記検知する温度に基づいて動作させる制御は、前記第１の温度検知手段が検知する温度が前記第１の設定温度より低い第２の所定の温度を下回らないように前記冷却手段を動作させる請求項３または請求項４に記載の画像読取装置。
【請求項７】
装置内部の温度を検知する第２の温度検知手段と、
装置内部の湿度を検知する湿度検知手段と、
前記第２の温度検知手段が検知する温度と、前記湿度検知手段が検知する湿度とから露点温度を求める演算手段とを更に備え、
前記求めた露点温度を前記第２の所定の温度とする請求項６に記載の画像読取装置。
【請求項８】
前記冷却手段は、前記撮像素子の熱を放熱する放熱板に送風する冷却ファンとを含み、
前記制御手段は、前記冷却ファンの動作を制御する請求項１乃至請求項７のいずれかに記載の画像読取装置。
【請求項９】
前記冷却手段は、前記撮像素子の熱を第１の放熱板を介して吸熱するペルチェ素子と、前記ペルチェ素子の放熱側で熱を放熱する第２の放熱板に送風する冷却ファンとを含み、
前記制御手段は、前記ペルチェ素子及び前記冷却ファンの動作を制御する請求項１乃至請求項７のいずれかに記載の画像読取装置。
【発明の詳細な説明】
【技術分野】
【０００１】
本発明は、原稿に形成された画像を撮像素子で読取る画像読取装置に関し、複数の読取モードの中のいずれかに設定され、画像の読取りを行う画像読取装置に関する。
【背景技術】
【０００２】
画像読取装置に用いられるＣＣＤ（ｃｈａｒｇｅ  ｃｏｕｐｌｅｄ  ｄｅｖｉｃｅ）等の撮像素子は、温度が上昇すると出力するアナログ信号にノイズがのることが知られている。例えば、ノイズがアナログ信号に与える影響は、図Ｚは横軸に黒画像−白画像、縦軸に画像に対応する出力電圧を示す（本来の出力を実線、ノイズの影響を受けた出力を破線で示す）ものであるが、温度上昇でノイズが発生することによって、黒近傍の出力電圧が図に示すように変化する。また、図Ｙに横軸に時間、縦軸にある画像の出力電圧を示すものであるが、図に示すように発生するノイズが不規則に変化する。
【０００３】
画像は、画像データの種類（２値或いは複数の階調で示す多値データ及びモノクロ或いはカラー画像）を示す設定される読取モードに従って、撮像素子が出力するアナログ信号をＡ／Ｄ変換して、読取モードに応じて２値または多値、モノクロまたはカラーの画像データとして読取られる。多値で読取る場合、Ａ／Ｄ変換により得られる階調はアナログ信号のレベルによるので、撮像素子が出力するアナログ信号が図Ｚ或いは図Ｙに示すノイズの影響を受ければ、画像データは、例えば、同じ中間調を示すべきものが異なるものとなったり、ベタに近い中間調がベタを示すデータとなってしまったりして、色調に変化を起こし、画質に影響することがある。また、階調数が多いほどこの影響を受けやすい。
【０００４】
そこで、撮像素子を冷却することによりノイズのレベルを下げることが一般的に行われている。例えば、冷却手段として、ＣＣＤの放熱を行うとともに電磁シールド効果を兼ね備える放熱板（特許文献１参照）、ＣＣＤの冷却にペルチェ素子を用いるもの（特許文献２参照）、また、ＣＣＤの冷却を冷却ファンにより行うもの（特許文献３参照）などがある。
【０００５】
【特許文献１】特開Ｈ８−１３９８７１号公報
【特許文献２】特開Ｈ６−４５５７０号公報
【特許文献３】特開Ｈ１０−１９０９１０号公報
【発明の開示】
【発明が解決しようとする課題】
【０００６】
ところが、冷却についても、放熱板だけでは十分な冷却は難しく、冷却ファンによる冷却では騒音や消費電力が問題となり、ペルチェ素子を用いる場合にも消費電力の増加が問題となる。
【０００７】
一方、２値の画像データとして得ようとする場合には、図Ｚ或いは図Ｙに示すようにノイズがのったとしても、Ａ／Ｄ変換により、ベタが白を示すデータに白がベタを示すデータに変換されることはほとんど無く、ベタはベタを示すデータに、白は白を示すデータに変換されるので、多値の画像データとして得ようとする場合に比べてノイズの影響は受けにくい。また、モノクロの場合も、ノイズの影響を受けて多少中間調が異なったりしても、色調変化はないので、画質に与える影響は少ない。
【０００８】
本発明は、上記事情に鑑みてなされたものであり、その目的とするところは、撮像素子を冷却するための冷却手段を読取モードに応じて動作の制御を行い、温度上昇により発生するノイズの影響を抑え、または、騒音や消費電力の増加を抑えることにある。
【課題を解決するための手段】
【０００９】
上記課題を解決するために請求項１記載の発明は、撮像素子を備え、作成する画像データの種類を示す複数の読取モードの設定が可能で、原稿に形成された画像を前記撮像素子で読取り、設定される前記読取モードに従って画像データを作成する画像読取装置において、前記撮像素子を冷却するための冷却手段と、前記設定される読取モードに応じて、前記冷却手段を動作させる制御、または、前記冷却手段を動作させない制御を行う制御手段とを備えることを特徴としている。
【００１０】
また、請求項２記載の発明は、前記冷却手段を動作させる制御は、前記読取モードが作成する画像データについて少なくともカラー画像及び多値データを示す場合に行うことを特徴としている。
【００１１】
また、請求項３記載の発明は、撮像素子を備え、作成する画像データの種類を示す複数の読取モードの設定が可能で、原稿に形成された画像を前記撮像素子で読取り、設定される前記読取モードに従って画像データを作成する画像読取装置において、前記撮像素子を冷却するための冷却手段と、前記撮像素子の温度を検知する第１の温度検知手段と、前記設定される前記読取モードに応じて、前記冷却手段を前記第１の温度検知手段が検知する温度に基づいて動作させる制御、または、前記冷却手段を動作させない制御を行う制御手段とを備えることを特徴としている。
【００１２】
また、請求項４記載の発明は、前記検知する温度に基づいて動作させる制御は、前記読取モードが作成する画像データについて少なくともカラー画像及び多値データを示す場合に行うことを特徴としている。
【００１３】
また、請求項５記載の発明は、前記検知する温度に基づいて動作させる制御は、前記第１の温度検知手段が検知する温度が第１の所定の温度を超えないように前記冷却手段を動作させることを特徴としている。
【００１４】
また、請求項６記載の発明は、前記検知する温度に基づいて動作させる制御は、前記第１の温度検知手段が検知する温度が前記第１の設定温度より低い第２の所定の温度を下回らないように前記冷却手段を動作させることを特徴としている。
【００１５】
また、請求項７記載の発明は、装置内部の温度を検知する第２の温度検知手段と、装置内部の湿度を検知する湿度検知手段と、前記第２の温度検知手段が検知する温度と、前記湿度検知手段が検知する湿度とから露点温度を求める演算手段とを更に備え、前記求めた露点温度を前記第２の所定の温度とすることを特徴としている。
【００１６】
また、請求項８記載の発明は、前記冷却手段は、前記撮像素子の熱を放熱する放熱板に送風する冷却ファンとを含み、前記制御手段は、前記冷却ファンの動作を制御することを特徴としている。
【００１７】
また、請求項９記載の発明は、前記冷却手段は、前記撮像素子の熱を第１の放熱板を介して吸熱するペルチェ素子と、前記ペルチェ素子の放熱側で熱を放熱する第２の放熱板に送風する冷却ファンとを含み、前記制御手段は、前記ペルチェ素子及び前記冷却ファンの動作を制御することを特徴としている。
【発明の効果】
【００１８】
請求項１記載の画像読取装置によれば、冷却手段を動作するモードの場合に、ノイズの影響を抑え、冷却手段を動作しないモードの場合に、騒音、消費電力を抑えることができる。
【００１９】
請求項２記載の画像読取装置によれば、読取モードがカラー画像で多値を示す場合に、冷却を行ってノイズの影響を抑え、その他のモードでは、騒音、消費電力を抑えることができる。
【００２０】
請求項３記載の画像読取装置によれば、冷却手段を動作するモードの場合に、撮像素子の温度に基づいてノイズの影響を抑え、冷却手段を動作しないモードの場合に、騒音、消費電力を抑えることができる。
【００２１】
請求項４記載の画像読取装置によれば、読取モードがカラー画像で多値を示す場合に、撮像素子の温度に基づいて冷却を行ってノイズの影響を抑え、その他のモードでは、騒音、消費電力を抑えることができる。
【００２２】
請求項５記載の画像読取装置によれば、例えば、撮像素子の温度をノイズが許容できる上限の温度を超えないように制御して、ノイズの影響を抑えることができる。
【００２３】
請求項６記載の画像読取装置によれば、例えば、冷却可能な温度で且つ撮像素子の温度をノイズの発生が少ない下限温度を下回らないように制御して、ノイズの影響を抑えることができる。
【００２４】
請求項７記載の画像読取装置によれば、冷却による撮像素子の結露を回避できるので、結露による動作不具合を発生しない。
【００２５】
請求項８記載の画像読取装置によれば、冷却ファンを含む冷却手段を備える画像読取装置への適用が可能となる。
【００２６】
請求項９記載の画像読取装置によれば、冷却ファン及びペルチェ素子を含む冷却手段を備える画像読取装置への適用が可能となる。
【発明を実施するための最良の形態】
【００２７】
［第１の実施の形態］
以下では、本発明の画像読取装置として複写機の画像読取部を例として図を参照しつつ説明する。
【００２８】
（構成）
図１は、複写機の一実施の形態を示す断面構成図である。図１に示す複写機は、いわゆるタンデム型フルカラー複写機と称せられるもので、画像読取部ＳＣ、イエロー、マゼンタ、シアン、黒色の各色の画像を形成するそれぞれの画像形成部１０Ｙ、１０Ｍ、１０Ｃ、１０Ｋと、中間転写体ユニット７と、給紙手段２１及び定着手段とを備えている。
【００２９】
画像読取部ＳＣは、複写機の上部に位置し、自動原稿送り装置２０１と原稿画像走査露光装置２０２からなり、自動原稿送り装置２０１により搬送される原稿ｄの画像が原稿画像走査露光装置２０２の光学系により撮像素子であるラインイメージセンサＣＣＤにより読取られ、アナログ信号に光電変換される。また、ラインイメージセンサＣＣＤを冷却するための冷却手段２０３を備えている。この冷却手段２０３の詳細については後述する。
【００３０】
ラインイメージセンサＣＣＤにより光電変換されたアナログ信号は、後述する画像処理部１０５において、アナログ処理、Ａ／Ｄ変換、シェーディング補正、画像圧縮処理等を行った後、露光手段３Ｙ、３Ｍ、３Ｃ、３Ｋに各色毎の２値或いは多値の画像データとして送られ、対応するドラム状の感光体１Ｙ、１Ｍ、１Ｃ、１Ｋに画像データの潜像を形成する。
【００３１】
画像形成部１０Ｙ、１０Ｍ、１０Ｃ、１０Ｋは垂直方向に縦列配置されており、感光体１Ｙ、１Ｍ、１Ｃ、１Ｋの図示左側にはローラ７１、７２、７３、７４を巻回して回動可能に張架された半導電性エンドレスベルト状の中間転写体７０が配置されている。
【００３２】
そして、中間転写体７０は中間転写体駆動ローラ７１により中間転写体駆動ローラ７１に接続された図示しない駆動装置により矢印方向に搬送されている。
【００３３】
イエロー色の画像を形成する画像形成部１０Ｙは、感光体１Ｙの周囲に配置された帯電手段２Ｙ、露光手段３Ｙ、現像手段４Ｙ、１次転写ローラ５Ｙ、クリーニング手段６Ｙを有する。
【００３４】
マゼンタ色の画像を形成する画像形成部１０Ｍは、感光体１Ｍの周囲に配置された帯電手段２Ｍ、露光手段３Ｍ、現像手段４Ｍ、１次転写ローラ５Ｍ、クリーニング手段６Ｍを有する。
【００３５】
シアン色の画像を形成する画像形成部１０Ｃは、感光体１Ｃの周囲に配置された帯電手段２Ｃ、露光手段３Ｃ、現像手段４Ｃ、１次転写ローラ５Ｃ、クリーニング手段６Ｃを有する。
【００３６】
黒色の画像を形成する画像形成部１０Ｋは、感光体１Ｋの周囲に配置された帯電手段２Ｋ、露光手段３Ｋ、現像手段４Ｋ、１次転写ローラ５Ｋ、クリーニング手段６Ｋを有する。
【００３７】
ここで、１次転写ローラ５Ｙ、５Ｍ、５Ｃ、５Ｋは、画像の種類に応じて選択的に作動するように制御されてそれぞれ対応する感光体１Ｙ、１Ｍ、１Ｃ、１Ｋに中間転写体７０を押圧する。
【００３８】
このようにして、画像形成部１０Ｙ、１０Ｍ、１０Ｃ、１０Ｋにより感光体１Ｙ、１Ｍ、１Ｃ、１Ｋに形成された各色の画像は、１次転写ローラ５Ｙ、５Ｍ、５Ｃ、５Ｋにより、回動する中間転写体７０上に逐次転写されて、合成されたカラー画像が形成される。また、画像形成部１０Ｋにより感光体１Ｋに形成された黒色の画像のみを、１次転写ローラ５Ｋにより、回動する中間転写体７０上に転写することにより、モノクロ画像を形成する。
【００３９】
また、給紙カセット２０内に収容された記録媒体としての用紙Ｐは、終始手段２１により給紙され、複数の中間ローラ２２Ａ、２２Ｂ、２２Ｃ、２２Ｄ、レジストローラ２３を経て、２次転写ローラ５Ａに搬送され、２次転写ローラ５Ａにより中間転写体７０上のカラー画像またはモノクロ画像が用紙Ｐ上に一括転写される。
【００４０】
ここで、２次転写ローラ５Ａは、ここを用紙Ｐが通過して２次転写が行われるときにのみ、中間転写体７０及び用紙Ｐを介しローラ７２に圧接する。
【００４１】
画像が転写された用紙Ｐは、定着手段２４により定着処理され、排紙ローラ２５に挟持されて機外の排紙トレイ２６上に載置される。
【００４２】
一方、２次転写ローラ５Ａにより用紙Ｐにカラー画像を転写した後、用紙Ｐを曲率分離した中間転写体７０は、クリーニング手段６Ａにより残留トナーが除去される。
【００４３】
上述のように本発明に係る複写機では、画像読取部ＳＣで原稿ｄから画像を読取り、カラー画像またはモノクロ画像を用紙Ｐ上に画像形成する。また、画像読取部ＳＣで読取った画像の画像データを図示しない記憶手段に記憶しておくようなことも可能である。
【００４４】
（読取モード）
読取モードとは、画像を読取り作成する画像データの種類、例えばモノクロ或いはカラー画像及び２値或いは多値データを示すもので、画像デ−タは、原稿ｄの原稿面に記載されているような文字、絵柄等の画像を上述のようにラインイメージセンサＣＣＤにより読取り、読取モードに従って、撮像素子が出力するアナログ信号を後述の画像処理部１０５でＡ／Ｄ変換して、モノクロまたはカラー画像、２値または多値データのデジタルデータとして作成されたものである。
【００４５】
本例の複写機は、読取モードとして、「白黒文書モード」、「カラー写真モード」、「白黒写真モード」、「オフィスカラーモード」、「ドラフトカラーモード」の各モードで画像を読取ることが可能である。
【００４６】
「白黒文書モード」は、白黒の文書の読取りに好適なもので、ラインイメージセンサＣＣＤにより光電変換されたアナログ信号を、モノクロの２値の画像データとするものである。
【００４７】
「カラー写真モード」は、カラー写真の読取りに好適なもので、ラインイメージセンサＣＣＤにより光電変換されたアナログ信号を、カラーの多値の画像データとするものである。
【００４８】
「白黒写真モード」は、白黒写真の読取りに好適なもので、ラインイメージセンサＣＣＤにより光電変換されたアナログ信号を、モノクロの多値の画像データとするものである。
【００４９】
「オフィスカラーモード」は、カラー文書の読取りに好適なもので、ラインイメージセンサＣＣＤにより光電変換されたアナログ信号を、カラーの多値の画像データとするものである。ただし、「カラー写真モード」と同じ多値であるが、「カラー写真モード」に比べ階調数は少なく、各色を重ねたときに表現できる色数も「カラー写真モード」に比べはるかに少ない。
【００５０】
「ドラフトカラーモード」は、カラー文書の読取りに好適なもので、ラインイメージセンサＣＣＤにより光電変換されたアナログ信号を、カラーの２値の画像データとするものである。イエロー色、マゼンタ色、シアン色、黒色が２値であるから、表現可能な色は、イエロー色、マゼンタ色、シアン色、赤色、緑色、青色、黒色の７色である。
【００５１】
また、これらの読取モードは、図示しない入力手段としての操作表示部１０１を用いて選択可能に入力ができる。また、操作表示部１０１の具体的構成として、図示しないが、例えば、テンキー及びスタートキーなどのボタンと、操作の受付けを行うタッチパネルとパターンや文字の表示を行う表示器としてのＬＣＤとが重ねて配置されてなる周知のＬＣＤタッチパネルを採用すればよい。
【００５２】
（冷却手段の構成）
次に、上述の複写機におけるラインイメージセンサＣＣＤの冷却手段２０３の構成について図２を用いて説明する。図２（ａ）、（ｂ）は、冷却手段２０３の構成を示す図である。
【００５３】
図２（ａ）は、ラインイメージセンサＣＣＤに密着してラインイメージセンサＣＣＤの発熱を放熱する放熱板２１０Ａと、図に示す送風方向に送風して放熱板２１０Ａの放熱を促進する冷却ファン２１１、及び、駆動手段１１０としての冷却ファンを駆動するためのファン駆動手段１１０ａとで冷却手段２０３を構成する例を示した。
【００５４】
図２（ｂ）は、ラインイメージセンサＣＣＤに密着してラインイメージセンサＣＣＤの発熱を放熱する放熱板２１０Ａと、放熱板２１０Ａに吸熱側に密着するペルチェ素子２１２と、さらにペルチェ素子２１２を介し放熱板２１０Ａに対向しペルチェ素子２１２の放熱側と密着する放熱板２１０Ｂと、図に示す送風方向に送風して放熱板２１０Ｂの放熱を促進する冷却ファン２１１、及び、駆動手段１１０としての冷却ファンを駆動するためのファン駆動手段１１０ａ及びペルチェ素子２１２を駆動するためのペルチェ素子駆動手段１１０ｂとで冷却手段２０３を構成する例を示した。
【００５５】
また、ファン駆動手段１１０ａ及びペルチェ素子駆動手段１１０ｂは、それぞれ冷却ファン２１１及びペルチェ素子２１２をＰＷＭ（Ｐｕｌｓｅ  Ｗｉｄｔｈ  Ｍｏｄｕｌａｔｉｏｎ）による通電率制御で駆動する。
【００５６】
（読取モードと冷却手段の制御）
以下に、読取モードと冷却手段２０３の制御について説明する。
【００５７】
まず、図３、図４を用いて読取モードと冷却手段の制御の一例について説明する。図３は冷却手段の制御構成の一例を示す機能ブロック図、図４は読取モードと冷却手段の制御の一例を示すフローチャートである。
【００５８】
図３において、１００は、全体の制御をする制御部で、ＣＰＵ（図示せず）と、装置全体の制御プログラムなどの各種のプログラムとそのプログラムを実行するときに必要な各種データを記憶すると共に、各種のプログラムを実行するときのワークエリアを構成するシステムメモリ（図示せず）と、を含んで構成される。また、操作表示部１０１で入力される読取モードに設定する設定手段としての機能と、設定された読取モードが駆動手段１１０を動作する読取モードか否かを判定する判定手段としての機能と、判定結果に基づいて冷却手段２０３を制御する制御手段としての機能を有する。また、冷却手段２０３を制御するとは、具体的には、駆動手段１１０を制御するのである。また、以下の冷却手段２０３を制御で、駆動手段１１０を動作させたり停止させたりするが、図２（ａ）に示すような構成であれば、ファン駆動手段１１０ａについて行い、図２（ｂ）に示すような構成であれば、ファン駆動手段１１０ａ及びペルチェ素子駆動手段１１０ｂについて行うものである。また、画像処理部１０５は、ラインイメージセンサＣＣＤにより光電変換されたアナログ信号を設定された読取モードに応じた種類の画像データを作成する画像データ作成手段としての機能を有する。
【００５９】
図４に示すように、まず、ユーザが読取モードを操作表示部１０１に入力した後、スタートキーを押下すると読取りを開始し（図４ステップＳ１０１、Ｙｅｓ。以下、Ｓ１０１、Ｙと省略して記載する。また、他のステップも同様であり、ＮｏはＮと省略する。）、制御部１００は、入力された読取モードが駆動手段１１０を動作するモードか否かを判定する。例えば、ラインイメージセンサＣＣＤのアナログ信号にのるノイズによる画質への影響が発生する「カラー写真モード」を駆動手段１１０を動作する読取モード、それ以外を駆動手段１１０を動作しない読取モードとすると、「カラー写真モード」以外の読取モードが選択された場合であれば駆動手段１１０を動作しない読取モードと判定し（Ｓ１０２、Ｎ）、駆動手段１１０を動作させず制御を終了する。
【００６０】
一方、「カラー写真モード」が選択された場合であれば駆動手段１１０を動作する読取モードと判定し（Ｓ１０２、Ｙ）、駆動手段１１０を動作させる（Ｓ１０３）。読取りが終了したら（Ｓ１０４）、駆動手段１１０を停止して（Ｓ１０４）終了する。
【００６１】
このようにして、「カラー写真モード」の場合には、冷却手段２０３を動作させラインイメージセンサＣＣＤの冷却を行ってノイズの影響を抑え、読取った画像の画質を向上させ、その他の読取モードでは、冷却手段２０３を動作させないので騒音、消費電力を抑えることができる。
【００６２】
また、「白黒写真モード」及び「オフィスカラーモード」の画像データは多値で構成されるので、画質は上記ノイズの影響を受けるが、「カラー写真モード」に比べて色調、階調性などの画質に対する要求は厳しいものではないので、本例では、冷却手段２０３を動作させないようにした。しかしながら、画質に対する要求が厳しい場合には、冷却手段２０３を動作させてノイズの影響を抑えるようにしてもよい。
【００６３】
［第２の実施の形態］
次に、本発明に係る第２の実施の形態について説明する。なお、以下には第１の実施の形態と実質的に同様の構成については、詳細な説明を省略し、主に異なる点について述べる。
【００６４】
図５に冷却手段の制御構成の一例を示す機能ブロック図を示すが、図５に示すように本発明は、ラインイメージセンサＣＣＤの温度を検知するためのＣＣＤ温度センサ１０２（第１の温度検知手段）を備え、制御部１００が、入力された読取モードが駆動手段１１０を動作する読取モードか否かを判定し、更に、駆動手段１１０を動作する読取モードの場合に、ＣＣＤ温度センサ１０２の示す温度に基づいて冷却手段２０３を制御する制御手段としての機能を有する。また、ＣＣＤ温度センサ１０２は、図示しないが、ラインイメージセンサＣＣＤに接するようにしてラインイメージセンサＣＣＤの温度を直接検知してもよいし、放熱板２１０Ａに接するようにしてラインイメージセンサＣＣＤの温度を間接的に検知するようにしてもよい。
【００６５】
さらに、読取モードと冷却手段の制御の一例を図６に示すフローチャートを用いて説明する。図６は読取モードと冷却手段の制御の一例を示すフローチャートである。
【００６６】
図６に示すように、まず、ユーザが読取モードを操作表示部１０１に入力した後、スタートキーを押下すると読取りを開始し（Ｓ２０１）、制御部１００は、入力された読取モードが駆動手段１１０を動作する読取モードか否かを判定する（判定は、第１の実施の形態と同様に行う）。「カラー写真モード」以外のモードが選択された場合であれば駆動手段１１０を動作しない読取モードと判定し（Ｓ２０２、Ｎ）、駆動手段１１０を動作させず制御を終了する。
【００６７】
一方、「カラー写真モード」が選択された場合であれば駆動手段１１０を動作する読取モードと判定し（Ｓ２０２、Ｙ）、そして、ＣＣＤ温度センサ１０２が検知する温度が例えば発生するノイズが許容できる上限温度（第１の所定の温度）を超えているか、上限温度以下か判断し、上限温度以上であれば（Ｓ２０４、以上）、駆動手段１１０を動作させ（Ｓ２０６）、上限温度より低ければ（Ｓ２０４、低）、駆動手段１１０を停止させる（Ｓ２０６）。この判断及び駆動手段１１０の制御を読取り終了まで続けるが、読取り終了したら（Ｓ２０３、Ｙ）、駆動手段１１０を停止する（Ｓ２０７）。
【００６８】
このようにして、「カラー写真モード」の場合には、イメージセンサＣＣＤが上限温度を超えないように制御することにより、ノイズの影響を抑え、イメージセンサＣＣＤの冷却の必要の無い場合（図６のＳ２０５がこれに相当する）には冷却手段２０３を動作させないので騒音、消費電力を抑えることができる。また、その他のモードでは、冷却手段２０３を動作させないので騒音、消費電力を抑えることができる。
【００６９】
［第３の実施の形態］
次に、本発明に係る第３の実施の形態について説明する。なお、以下には第１及び第２の実施の形態と実質的に同様の構成については、詳細な説明を省略し、主に異なる点について述べる。
【００７０】
上述の第２の実施の形態では、イメージセンサＣＣＤが発生するノイズが許容できる上限温度を超えないように制御する例を示したが、本実施の形態では、冷却可能な温度で且つイメージセンサＣＣＤのノイズの発生が少ない下限温度（第２の所定の温度）を下回らないように制御する例を説明する。いうまでもないがこの下限温度は、上記上限温度より低い。
【００７１】
図７は読取モードと冷却手段の制御の一例を示すフローチャートである。図７に示すように、まず、ユーザが読取モードを操作表示部１０１に入力した後、スタートキーを押下すると読取りを開始し（Ｓ３０１）、制御部１００は、入力された読取モードが駆動手段１１０を動作する読取モードか否かを判定する（判定は、第１の実施の形態と同様に行う）。「カラー写真モード」以外の読取モードが選択された場合であれば駆動手段１１０を動作しないモードと判定し（Ｓ３０２、Ｎ）、駆動手段１１０を動作させず制御を終了する。
【００７２】
一方、「カラー写真モード」が選択された場合であれば駆動手段１１０を動作する読取モードと判定し（Ｓ３０２、Ｙ）、まず、駆動手段１１０を動作させる（Ｓ３０３）。そして、ＣＣＤ温度センサ１０２が検知する温度が下限温度以下か、下限温度を超えているか判断し、下限温度より高ければ（Ｓ３０５、高）、駆動手段１１０を動作させ（Ｓ３０７）、下限温度以下であれば（Ｓ３０５、以下）、駆動手段１１０を停止させる（Ｓ３０６）。この判断及び駆動手段１１０の制御を読取り終了まで続けるが、読取り終了したら（Ｓ３０４、Ｙ）、駆動手段１１０を停止する（Ｓ３０８）。
【００７３】
このようにして、「カラー写真モード」の場合には、イメージセンサＣＣＤが下限温度を下回らないように制御することにより、ノイズの影響を最小限に抑え、イメージセンサＣＣＤの冷却の必要の無い場合（図６のＳ３０７がこれに相当する）には冷却手段２０３を動作させないので騒音、消費電力を抑えることができる。また、その他のモードでは、冷却手段２０３を動作させないので騒音、消費電力を抑えることができる。
【００７４】
［第４の実施の形態］
次に、本発明に係る第４の実施の形態について説明する。なお、以下には第１乃至第３の実施の形態と実質的に同様の構成については、詳細な説明を省略し、主に異なる点について述べる。
【００７５】
図８に冷却手段の制御構成の一例を示す機能ブロック図を示すが、図８に示すように本発明は、第２の実施の形態の構成に加え、複写機内部（イメージセンサＣＣＤが配置されている近傍が好ましい）の雰囲気温度を検知する環境温度センサ１０３（第２の温度検知手段）及び雰囲気湿度を検知する環境湿度センサ１０４（湿度検知手段）を備え、制御部１００は、環境温度センサ１０３及び環境湿度センサ１０４で検知される温度及び湿度から露点温度を求める露点温度演算手段としての機能を有する。そして、本実施の形態におういて上述の下限温度を露点温度演算手段で求める露点温度として上述の図７に示したフローチャートに従って制御を行う。具体的には、図示しないが、図７のフローチャートのＳ３０３より前の段階で露点温度を求め、ＣＣＤ温度センサ１０２が検知する温度が露点温度か否か判断し、Ｓ３０５で露点温度を以下であれば、Ｓ３０６で駆動手段１１０を停止させるように制御し、露点温度を超えていればＳ３０７で駆動手段１１０を動作させるように制御する。これにより、冷却によるラインイメージセンサＣＣＤの結露を回避できるので、そのときの環境における最低の温度までラインイメージセンサＣＣＤの温度を下げることができ、そのときの環境における最もノイズ少ない状態で、ラインイメージセンサＣＣＤを使用することができる。
結露による動作不具合を発生しない。
【００７６】
また、露点温度〔℃〕は、各温度における飽和水蒸気圧〔ｈＰａ〕を記したテーブル、または、近似式から現在の雰囲気温度〔℃〕における飽和水蒸気圧〔ｈＰａ〕を求め、その求めた飽和水蒸気圧〔ｈＰａ〕と現在の雰囲気湿度〔％Ｒｈ〕から求めることができる。
【００７７】
例えば、飽和水蒸気圧をＥ（ｔ）〔ｈＰａ〕は、現在の雰囲気温度をｔ〔℃〕とすれば、次式で求める事ができる。
【００７８】
【数１】
2005333342.tif 000003
【００７９】
また、露点温度ｔｄは、現在の雰囲気湿度をＨ〔％Ｒｈ〕とすれば、次式で求める事ができる。
【００８０】
【数２】
2005333342.tif 000004
【００８１】
また、テーブルを用いる場合は、
図９に示す様な温度と飽和水蒸気圧を示すテーブルを参照し、現在の雰囲気温度〔℃〕における飽和水蒸気圧〔ｈＰａ〕を求め、これに現在の雰囲気湿度をＨ〔％Ｒｈ〕を乗算することにより、現在の水蒸気圧〔ｈＰａ〕を求め、さらに表１を検索して、その水蒸気圧を飽和水蒸気圧とする温度を求め、その温度を、露点温度とする。
【図面の簡単な説明】
【００８２】
【図１】本発明に係る一実施の形態の複写機の概略機械構成を示す断面図である。
【図２】図１の複写機のＣＣＤを冷却する冷却手段の構成を説明するための図である。
【図３】第１の実施の形態に係る冷却手段の冷却手段の制御構成の一例を示す機能ブロック図である。
【図４】第１の実施の形態に係る読取モードと冷却手段の制御の一例を示すフローチャートである。
【図５】第２の実施の形態に係る冷却手段の冷却手段の制御構成の一例を示す機能ブロック図である。
【図６】第２の実施の形態に係る読取モードと冷却手段の制御の一例を示すフローチャートである。
【図７】第３の実施の形態に係る読取モードと冷却手段の制御の一例を示すフローチャートである。
【図８】第４の実施の形態に係る冷却手段の冷却手段の制御構成の一例を示す機能ブロック図である。
【図９】温度と飽和水蒸気圧を示すテーブルを示す図である。
【図１０】撮像素子の出力するアナログ信号にのるノイズを説明するための図である。
【図１１】撮像素子の出力するアナログ信号にのるノイズを説明するための図である。
【符号の説明】
【００８３】
ＳＣ  画像読取部
ＣＣＤ  ラインイメージセンサ
１００  制御部
１０１  操作表示部
１０２  ＣＣＤ温度センサ
１０３  環境温度センサ
１０４  環境湿度センサ
１０５  画像処理部
１１０  駆動手段
２０１  自動原稿送り装置
２０２  原稿画像走査露光装置
２０３  冷却手段
２１０  放熱板
２１１  冷却ファン
２１２  ペルチェ素子
【図１】
2005333342.tif 000005
【図２】
2005333342.tif 000006
【図３】
2005333342.tif 000007
【図４】
2005333342.tif 000008
【図５】
2005333342.tif 000009
【図６】
2005333342.tif 000010
【図７】
2005333342.tif 000011
【図８】
2005333342.tif 000012
【図９】
2005333342.tif 000013
【図１０】
2005333342.tif 000014
【図１１】
2005333342.tif 000015